(57)【要約】  長い握持部分と、取付部分と、を有するハンドルと、取付部分に回動可能に取り付けられたシェーバーヘッドと、少なくとも１つの刃を備える取外可能なカートリッジであって、シェーバーヘッドに取り付けられ且つシェーバーヘッドから取り外されるように構成された、カートリッジと、シェーバーヘッドからカートリッジを解放するためにカートリッジと接触するように構成されたプッシャと、シェーバーヘッド上に設けられたバネであって、カートリッジをシェーバーヘッドに取り付けるように構成された、バネと、を備えるシェーバーであって、バネが、ループを形成する少なくとも１つの部品を備えている、シェーバーが提供される。
2016500315.tif 000002
【特許請求の範囲】
【請求項１】
長い握持部分と、取付部分（２２）と、を有するハンドル（２０）と、
前記取付部分（２２）に回動可能に取り付けられたシェーバーヘッド（４０）と、
取外可能なカートリッジ（６０）であって、少なくとも１つの刃（６３）を備え、且つ前記シェーバーヘッド（４０）に取り付けられ且つ前記シェーバーヘッド（４０）から取り外されるように構成された、カートリッジと、
前記シェーバーヘッド（４０）上に設けられたバネ（４５）であって、前記カートリッジ（６０）を前記シェーバーヘッド（４０）に取り付けるように構成された、バネ（４５）と、
前記シェーバーヘッド（４０）から前記カートリッジ（６０）を解放するために前記カートリッジ（６０）と接触するように構成されたプッシャ（３１）と、
を備えるシェーバーであって、
前記バネ（４５）が、ループを形成する少なくとも１つの部品を備えていることを特徴とするシェーバー。
【請求項２】
前記シェーバーヘッド（４０）が、後部構造体（４８）をさらに備え、前記バネ（４５）が、前記シェーバーヘッド（４０）の前記後部構造体（４８）に取り付けられていることを特徴とする請求項１に記載のシェーバー。
【請求項３】
前記カートリッジ（６０）が、シェービングの方向と垂直な方向に取り出されることを特徴とする請求項１又は２に記載のシェーバー。
【請求項４】
前記バネ（４５）が、湾曲したワイヤから作られていることを特徴とする請求項１から３のいずれか一項に記載のシェーバー。
【請求項５】
前記バネ（４５）がΩ状であることを特徴とする請求項４に記載のシェーバー。
【請求項６】
前記バネ（４５）が金属から作られていることを特徴とする請求項１から５のいずれか一項に記載のシェーバー。
【請求項７】
前記シェーバーヘッド（４０）が、底壁（４６）及び保護部材（４４）をさらに備え、前記保護部材（４４）が、前記底壁（４６）と隣り合って配置されていることを特徴とする請求項１から６のいずれか一項に記載のシェーバー。
【請求項８】
前記カートリッジ（６０）が、ホルダ（６５）を備え、前記ホルダ（６５）が、シリンダ状の本体の形態で設けられ、前記バネ（４５）と協働するように構成されていることを特徴とする請求項１から７のいずれか一項に記載のシェーバー。
【請求項９】
前記ホルダ（６５）が、溝（６５Ａ）を備え、前記溝（６５Ａ）が、前記バネ（４５）によって形成された前記ループと協働するように構成されていることを特徴とする請求項８に記載のシェーバー。
【請求項１０】
前記ハンドル（２０）が、回転ボタン（３０）をさらに備え、前記ボタン（３０）が、前記プッシャ（３１）をさらに備え、前記プッシャ（３１）が、前記カートリッジ（６０）の前記ホルダ（６５）と接触し且つ従って前記シェーバーヘッド（４０）から前記カートリッジ（６０）を解放するように構成されていることを特徴とする請求項１から９のいずれか一項に記載のシェーバー。
【請求項１１】
請求項１から１０のいずれか一項に記載のシェーバーで使用されるカートリッジであって、
前記カートリッジ（６０）が、ホルダ（６５）を備え、前記ホルダ（６５）が、シリンダ状の本体の形態で設けられていることを特徴とするカートリッジ。
【請求項１２】
前記ホルダが、溝（６５Ａ）をさらに備えていることを特徴とする請求項１１に記載のカートリッジ。
【請求項１３】
少なくとも１つの刃を備え、前記少なくとも１つの刃（６３）が運動可能に取り付けられていることを特徴とする請求項１１又は１２に記載のカートリッジ。
【請求項１４】
前記カートリッジ（６０）が、頂壁（６１）と、シェービング補助部（６１Ａ）と、をさらに備え、前記シェービング補助部（６１Ａ）が、前記頂壁（６１）内に配置されていることを特徴とする請求項１１から１３のいずれか一項に記載のカートリッジ。
【請求項１５】
請求項１から１０のいずれか一項に記載のシェーバーのためのヘッド及びハンドル組立体であって、
長い握持部分と、取付部分（２２）と、を有するハンドル（２０）と、
前記取付部分（２２）に回動可能に取り付けられたシェーバーヘッド（４０）であって、カートリッジ（６０）を受容するように構成されたシェーバーヘッド（４０）と、
前記シェーバーヘッド（４０）上に設けられたバネ（４５）であって、カートリッジ（６０）を前記シェーバーヘッド（４０）に取り付けるように構成された、バネ（４５）と、
を備え、
前記バネ（４５）が、ループを形成する少なくとも１つの部品を備えていることを特徴とする組立体。
【請求項１６】
前記シェーバーヘッド（４０）が、後部構造体（４８）をさらに備え、前記板バネ（４５）が、前記後部構造体（４８）に取り付けられていることを特徴とする請求項１５に記載の組立体。
【請求項１７】
前記バネ（４５）が、湾曲したワイヤから作られ、前記バネ（４５）が、Ω状であることを特徴とする請求項１５又は１６に記載の組立体。
【発明の詳細な説明】
【技術分野】
【０００１】
本発明は、取換可能なカートリッジを有するシェーバー、並びに当該シェーバーのためのカートリッジ、及びヘッド及びハンドル組立体に関する。
【背景技術】
【０００２】
より具体的に、本発明は、
−  シェーバーヘッドを保持するための取付部分で終わる長い本体を有するハンドルと、
−  取換可能なシェービングカートリッジを収容するように構成されたシェーバーヘッドと、
−  取換可能なシェービングカートリッジが装填され且つシェーバーヘッドから取り出されることを可能にするためのロック及び解放機構と、
−  １つ以上の刃を含む取換可能なカートリッジと、
を備えるシェーバーに関する。
【０００３】
このようなシェーバーは、１つ以上の刃がすり減ったときに使用者がカートリッジを交換することを可能にする一方で、ハンドル及びシェーバーヘッドは、そのまま再使用することができる。
【先行技術文献】
【特許文献】
【０００４】
【特許文献１】欧州特許第２１９５１４５号明細書
【発明の概要】
【発明が解決しようとする課題】
【０００５】
取換可能な刃付きカートリッジ、例えば特許文献１に開示されるカートリッジをシェーバーヘッドから取り除くことは、通常、使用者がカートリッジを実際に動かすためにカートリッジを押すか又は引くことを必要とする。これは、カートリッジを交換するために、使用者が自身の指によってカートリッジに接触する必要があることを意味する。従って、使用者のけがのリスクが増大される。
【課題を解決するための手段】
【０００６】
長い握持部分と、取付部分と、を有するハンドルと、取付部分に回動可能に取り付けられたシェーバーヘッドと、少なくとも１つの刃を備える取外可能なカートリッジであって、シェーバーヘッドに取り付けられ且つシェーバーヘッドから取り外されるように構成された、カートリッジと、シェーバーヘッドからカートリッジを解放するためにカートリッジと接触するように構成されたプッシャと、シェーバーヘッド上に設けられたバネであって、カートリッジをシェーバーヘッドに取り付けるように構成された、バネと、を備えるシェーバーであって、バネが、ループを形成する少なくとも１つの部品を備えている、シェーバーが提供される。
【０００７】
いくつかの実施形態では、シェーバーは、以下の特徴の１つ以上を使用してもよい：
−  シェーバーヘッドが、後部構造体をさらに備え、バネが、シェーバーヘッドの後部構造体に取り付けられている、
−  カートリッジが、シェービングの方向と垂直な方向に取り出される、
−  バネが、湾曲したワイヤから作られている、
−  バネがΩ状である、
−  バネが金属から作られている、
−  シェーバーヘッドが、底壁及び保護部材をさらに備え、保護部材が、底壁と隣り合って配置されている、
−  カートリッジが、ホルダを備え、ホルダが、シリンダ状の本体の形態で設けられ、バネと協働するように構成されている、
−  ホルダが、溝を備え、溝が、バネによって形成されたループと協働するように構成されている、
−  ハンドルが、回転ボタンを備え、ボタンが、プッシャをさらに備え、プッシャが、カートリッジのホルダと接触し且つ従ってシェーバーヘッドからカートリッジを解放するように構成されている。
【０００８】
本発明の別の側面では、ホルダを備えるカートリッジであって、ホルダが、シリンダ状の本体の形態で設けられている、カートリッジが提供される。
【０００９】
いくつかの実施形態では、カートリッジは、以下の特徴の１つ以上を使用してもよい：
−  ホルダが、溝をさらに備えている、
−  カートリッジが、少なくとも１つの刃を備え、少なくとも１つの刃が運動可能に取り付けられている、
−  カートリッジが、頂壁と、シェービング補助部と、をさらに備え、シェービング補助部が、頂壁内に配置されている。
【００１０】
本発明の別の側面では、長い握持部分と、取付部分と、を有するハンドルと、取付部分に回動可能に取り付けられたシェーバーヘッドであって、カートリッジを受容するように構成された、シェーバーヘッドと、シェーバーヘッド上に設けられたバネであって、カートリッジをシェーバーヘッドに取り付けるように構成された、バネと、を備えるヘッド及びハンドル組立体であって、バネが、ループを形成する少なくとも１つの部品を備えている、ヘッド及びハンドル組立体が提供される。
【００１１】
いくつかの実施形態では、ヘッド及びハンドル組立体は、以下の特徴の１つ以上を使用してもよい：
シェーバーヘッドが、後部構造体をさらに備え、板バネが、後部構造体に取り付けられている、
バネが湾曲したワイヤから作られ、バネがΩ形状である。
【００１２】
これらの特徴により、カートリッジがシェーバーヘッドから取り外されるとき、カートリッジは、シェーバーヘッドからより容易に取り出される。使用者は、カートリッジを押すか又は引く必要がなく、使用者のけがのリスクは、小さくなる。さらに、シェーバーヘッド全体を交換する代わりに、刃がすり減ったときにはカートリッジのみが交換されるので、このようなシェーバーのコストは、下げられたままである。さらに、カートリッジのみが交換されるので、シェーバーは、製造することが容易であり、また、交換される（捨てられる）材料が減少されるので、より環境にやさしくなる。
【００１３】
本発明のさらに別の側面では、長い握持部分と、取付部分と、を有するハンドルと、取付部分に回動可能に取り付けられたシェーバーヘッドと、取外可能なカートリッジであって、少なくとも１つの刃を備え、且つシェーバーヘッドに取り付けられ且つシェーバーヘッドから取り外されるように構成された、カートリッジと、回動軸と平行な軸周りで回転させられるように構成されたボタンと、を備えるシェーバーであって、ボタンが、回転させられるときに、シェーバーヘッドからカートリッジを取り外すことを容易にする、シェーバーが提供される。
【００１４】
いくつかの実施形態では、シェーバーは、以下の特徴の１つ以上を使用してもよい：
−  シェーバーが、カムフォロワを備え、カムフォロワが、回動軸と平行な軸周りで回転させられるように構成され、且つシェーバーヘッドが回動させられるときにシェーバーヘッドのために復帰力を提供する、
−  ボタンが、プッシャを備え、プッシャが、シェーバーヘッドからカートリッジを取り外すように構成されている、
−  カートリッジが、ホルダを備え、ホルダが、シェーバーヘッドにカートリッジを取り付け、プッシャが、カートリッジをシェーバーヘッドから取り外すためにホルダと接触する、
−  シェーバーが、板バネを備え、板バネが、ボタン及び／又はカムフォロワに対して復帰力を提供するように構成された、
−  板バネが、ベース部分、一対の外側枝部及び中央枝部を備えている、
−  板バネの外側枝部が、ボタンに対する復帰力を提供するためにボタンと協働する、
−  板バネの中央枝部が、カムフォロワに対して復帰力を提供するためにカムフォロワと協働する、
−  板バネの枝部が、上方に曲げられた端部を有する、
−  板バネが金属から作られている、
−  ボタンが、ボタンをハンドルに取り付ける一対の脚部を備えている、
−  カムフォロワが、ボタンの脚部の間に収容される、
−  シェーバーヘッドが、バネをさらに備え、バネが、カートリッジをシェーバーヘッドに取り付けるように構成されている、
−  バネがΩ状である、
−  カートリッジが、シェービングの方向と垂直な方向に取り出される。
【００１５】
本発明の他の特徴及び利点は、非限定的な例として与えられる本発明の実施形態の１つ及び添付の図面の以下の説明から容易に明らかになるであろう。
【図面の簡単な説明】
【００１６】
【図１ａ】前側から見た、本発明の一実施形態によるシェーバーの全体図を示す。
【図１ｂ】後側からの図１のシェーバーの全体図を示す。
【図１ｃ】シェーバーヘッドが中立位置にある、線Ｉｃに沿った図１のシェーバーの断面図を示す。
【図１ｄ】シェーバーヘッドが中立位置にあり且つボタンが回転させられた、線Ｉｃに沿った図１のシェーバーの断面図を示す。
【図１ｅ】シェーバーヘッドが回転位置にある、線Ｉｃに沿った図１のシェーバーの断面図を示す。
【図２ａ】一方向から見た、図１のシェーバーのハンドルのヘッド取付機構の分解斜視図を示す。
【図２ｂ】図２ａとは別の方向から見た、図１のシェーバーのハンドルのヘッド取付機構の分解斜視図を示す。
【図２ｃ】ヘッド取付機構の分解平面図である。
【図２ｄ】ヘッド取付機構の分解側面図である。
【図３ａ】後方から見た、図１のシェーバーのシェーバーヘッド及びカートリッジを示す。
【図３ｂ】カートリッジが挿入されたシェーバーヘッドの断面図を示す。
【図４】カートリッジの詳細な側面図を示す。
【図５ａ】シェーバーヘッドの正面図である。
【図５ｂ】シェーバーヘッドの背面図である。
【発明を実施するための形態】
【００１７】
さまざま図において、同じ参照符号は、同様の又は類似する要素を示す。
【００１８】
図１ａから図１ｃは、本発明によるシェーバーの一実施例を示す。シェーバーは、ハンドル２０と、シェーバーヘッド４０と、１つ以上の刃６３を収容するカートリッジ６０と、を備える。図に示される実施例では、４つの刃がある。しかしながら、カートリッジは、より多いか又はより少ない刃を使用してもよい。
【００１９】
カートリッジ６０（図３ａ及び図４）は、頂壁６１と、２つの側壁６２と、底壁６７と、後部構造体（図４参照）と、を有するフレームとして形成される。頂壁６１及び底壁６７は、長くされ、且つ側壁６２によって接続されている。カートリッジ６０のフレームは、プラスチックから成形され；好ましくは、フレームは、一体部品である。刃６３は、頂壁６１及び底壁６７と平行に側壁６２の間で延在している。刃６３は、曲げられたシート金属から作られるか、又は、好ましくは、それらは、直線形であり且つ刃支持体６３Ａにより支持されてもよい。そして、刃６３及び／又は刃支持体６３Ａは、側壁６２内に設けられたシート６３Ｂ内に収容されている。さらに、刃は、例えば運動可能に構成されてもよい。側壁６２には、刃６３と平行な方向にカートリッジフレームの内部に向かって延在し且つ刃６３を運動可能に支持する弾性指６４が設けられている。刃６３は、一対の曲げられた金属ストリップ６６によってカートリッジ６０内に保持され、金属ストリップ６６は、刃６３の端部を取り囲み、従ってブレードを所定位置に保持する。刃の数は、例えば４である。頂壁６１では、刃の縁部によって画成された平面に通常位置するシェービング補助部６１Ａが設けられている。他の実施形態では、刃は、固定されてもよい。
【００２０】
ハンドル２０は、長い握持部分（図示せず）を有し、握持部分には、使用者の把持を強化し且つ滑りを防止するのに役立つ機構、例えばリブ、ペグ、弾性部分などが設けられてもよい。ハンドル２０は、好ましくは、プラスチック材料から成形される。ハンドル２０は、図２に示されるように、ハンドルから延在する２つのヨーク２１において終わる。ヨーク２１は、シェルベアリング２２の形態で設けられた取付部分で終端する。シェルベアリング２２は、シェーバーヘッド４０上に設けられた相補的凹所４１と協働する。シェルベアリング２２及び相補的凹所４１は、協働して、シェーバーヘッド４０が刃６３の長さと平行な軸周りに回動することを可能にする。あるいは、シェルベアリング２２は、ヒンジ、ピン又は他の回動手段によって置換されてもよい。
【００２１】
ヨーク２１は、（後述される）ボタン３０を収容するキャビティ２５をさらに画成する。キャビティ２５は、ヨーク２１の間に配置された間隙２３をさらに備えている。間隙２３は、カムフォロワ２４を収容する。
【００２２】
図２ａから図２ｄに示される一実施形態では、カムフォロワ２４は、シリンダのような本体を備えている。シリンダのような本体は、回転軸を規定する。回転軸は、シェルベアリング２２によって規定される回動軸と平行である。回転軸の方向では、一対のペグ２４Ｂがシリンダ状の本体の対向する基部から突出している。回転軸と全体として垂直な平面では、嘴状突起２４Ａが突出している。嘴状突起２４Ａは、好ましくは、凸状突出部を形成するために曲げられる。カムフォロワ２４がハンドル２０に取り付けられると、嘴状突起２４Ａは、シェービング面に向かって突出し、且つシェーバーヘッド４０に向かって上方に曲げられる。嘴状突起２４Ａは、シェーバー４０の後壁上に設けられた載置部４３と協働し、従って、シェーバーヘッド４０が中立位置へ復帰することを可能にする。カムフォロワ２４のシリンダのような本体は、凹所２４Ｃをさらに備えている。凹所２４Ｃは、板バネ３６を収容する。板バネ３６は、カムフォロワ２４のための復帰力を提供するように構成され、従ってシェーバーヘッド４０を中立位置へ復帰させることを容易にする。
【００２３】
板バネ３６は、図２ａから図２ｄで示されるように、全体としてＥ字状の本体の形態で設けられている。板バネ３６は、基部部分３６Ｃによって相互接続された３つの枝部３６Ｂ，３６Ａ，３６Ｂを備えている。外側枝部３６Ｂには、長い端部が設けられ、端部は、基部部分３６Ｃに対しておよそ９０°曲げられ；好ましくは、角度は、９０°よりも小さいが８０°よりも大きい。従って、枝部３６Ｂは、略Ｌ字状である。中央枝部３６Ａは、外側枝部３６Ｂと同じ方向に曲げられる。好ましくは、中央枝部が曲げられる角度は、鈍角である。好ましくは、中央枝部３６Ａは、外側枝部３６Ｂよりも短い。板バネ３６は、中央枝部３６Ａが凹所２４Ｃ内に配置されるように配置される。図１ｃ及び図１ｅの一実施例は、それぞれ中立位置及び回転位置にあるヘッド４０及びカムフォロワ２４の位置を示す。この実施例では、ヘッド４０が回転させられると、カムフォロワ２４の嘴状突起２４Ａが、ボタン３０から離れる方向に下方に動かされ、板バネ３６の中央枝部３６Ａは、キャビティ２４Ｃの底壁によってボタンに向かう方向に上方に曲げられ、従って圧力を受ける。力が取り除かれると、板バネ３６の中央枝部３６Ａは、カムフォロワ２４のための復帰力を提供する。
【００２４】
板バネ３６がキャビティ２５内に挿入されると、板バネは一対のリブ３５によって所定位置に保持される。リブ３５は、キャビティ２５の内部に突出し、且つ好ましくは、キャビティ２５の底部と隣り合って配置されている。リブ３５は、板バネ３６の外側枝部３６Ｂと少なくとも部分的に重なり、従ってキャビティ２５の内部に板バネ３６を保持する。板バネ３６は、好ましくは、金属から作られる。板バネ３６は、任意の適切な材料、例えばプラスチック又は弾性特性を有する材料から作られてもよい。
【００２５】
シェーバーヘッド４０の一実施例は、図３ａ、図３ｂ、図５ａ及び図５ｂに示されている。シェーバーヘッドは、前壁４４、後部構造体４８、底壁４６及び側壁４２を備えている。前壁４４は、好ましくはエラストマー材料で作られた、皮膚係合要素又は保護部を含んでもよい。後壁４３は、ハンドル２０の端部に配置されたシェルベアリング２２を収容する凹所４１を備えている。後部構造体４８は、カムフォロワ２４と協働する載置部４３を備えている。
【００２６】
シェーバーヘッド４０は、カートリッジ６０を収容することができる台座を形成している（このような台座の詳細は図５ａに示される）。カートリッジ６０は、好ましくは、シェービング面と垂直な方向から挿入される。
【００２７】
カートリッジ６０がシェーバーヘッド４０内に挿入されると、カートリッジはシェーバーヘッド４０の後部構造体４８内に配置されたバネ４５と接触する。バネ４５は、図３ａ及び図３ｂで見ることができる。図に示される実施例では、バネ４５はΩ状である。バネ４５は、終端部分４５Ａ及びスナップフィット部分４５Ｂを備えている。
【００２８】
シェーバーヘッド４０の後部構造体４８は、バネ４５を所定位置に保持するように構成された保持部分を備えている。図に示される一実施例では、保持部分は、上側ホルダ４８Ａ及び一対の下側ホルダ４８Ｂを備えている。ホルダ４８Ａ，４８Ｂは、シェービング面から離れる方向にシェーバーヘッド４０から突出するフック状突出部として設けられる。ホルダ４８Ａ，４８Ｂは、好ましくは、バネ４５の動きが最小化されるようにバネ４５を保持する。バネ４５の終端部分４５Ａは、下側ホルダ４８Ｂ内に挿入される。スナップフィット部分４５Ｂは、上側ホルダ４８Ａ内に挿入される。
【００２９】
シェーバーヘッド４５の後部構造体４８は、開口部４８Ｃをさらに備えている。開口部４８Ｃは、好ましくは、ホルダ４８Ａ，４８Ｂの間に配置され、このため、バネ４５がホルダ４８Ａ，４８Ｂ内に挿入されると、バネ４５及び開口部４８Ｃはそれらが通路を形成するように整列される。
【００３０】
下側ホルダ４８Ｂの間に、カムフォロワ２４のための載置部４３が配置されてもよい。
【００３１】
カートリッジ６０の後部構造体には、バネ４５のスナップフィット部分４５Ｂによって接触することができるホルダ６５が設けられる。ホルダの一実施例は、図３ａ，図３ｂ及び図４に示される。ホルダ６５は、好ましくは、シェービング面から離れる方向にカートリッジ６０から突出する。ホルダ６５は、好ましくは、シリンダ状の本体として設けられている。シリンダ状の本体は、好ましくは、円形断面を有している。あるいは、シリンダ状の本体は、任意の適切な形状の断面、例えば矩形、三角形、楕円などの断面を有してもよい。シリンダ状の本体は、材料を節約し且つホルダ６５の弾性も向上させるために、中空で設けられてもよい。ホルダ６５には、好ましくは、溝６５Ａが設けられる。溝は、好ましくは、ホルダ６５の長さの１／３から１／２に配置される。
【００３２】
カートリッジ６０が挿入されると、ホルダ６５は、バネ４５のスナップフィット部分４５Ｂによって接触され、バネ４５のスナップフィット部分４５Ｂは、カートリッジ６０のホルダ６５を掴み、従ってカートリッジ６０は、シェーバーヘッド４０内のその台座に保持される。シェーバーヘッド４０上に設けられた台座がカートリッジ６０の全長に沿って伸びるので、カートリッジの望ましくない回転は減少される。
【００３３】
バネ４５は、好ましくは、金属から作られ、従って弾性を有し、容易に破壊されない。しかしながら、バネ４５は、任意の他の適切な弾性材料で作られてもよい。
【００３４】
カートリッジ６０がシェーバーヘッド４０内に挿入されると、カートリッジ６０は、好ましくは、シェーバーヘッド４０に対するいかなる運動も行わない。シェーバーヘッド４０は、ハンドル２０に回動可能に取り付けられ；好ましくは、回動手段２２，４１は、カートリッジ６０上ではなく、シェーバーヘッド４０及びハンドル２０上に設けられる。
【００３５】
シェーバーヘッド４０上に設けられたバネ４５と、カートリッジ６０上に設けられたホルダ６５と、を使用する上述した機構は、いくつかの利点をもたらす。交換される構成要素がカートリッジ６０のみであり、カートリッジは、それ自体がいかなる追加的な機構（例えば回動手段など）も持っていない。従って、カートリッジ６０の価格は、下げられ、カートリッジの製造プロセスは、簡略化される；シェーバーヘッド４０及びハンドル２０は交換されないので、それらはより丈夫に製造される一方で、価格をリーズナブルに保つ。特に、ハンドル２０に対するシェーバーヘッド４０の回動取付を保証するために設けられる手段は、より信頼性を有するように形成されてもよい。さらに、スナップフィット機構は、製造及び操作双方が容易である。さらに、１つのみのバネ４５が設けられ、このことは、コストをさらに減少させる。
【００３６】
また、シェーバーヘッド４０と隣り合うハンドル２０の頂部には、ボタン３０が設けられる。ボタン３０の一実施例は、図１ｂ、図１ｃ及び図２ａから図２ｄで見ることができる。ボタン３０は、前端部３０Ａ及び後端部３０Ｂを有する全体として箱状の本体の形態で設けられる。プッシャ３１が前端部３０Ａから突出する。プッシャ３１は、全体として、シェービング面の方向に突出する。
【００３７】
２組のアーム３３，３４が、ボタン３０の本体からハンドル２０に向かって突出している。前方アーム３３は、ボタン３０の前端部３０Ａに配置されている。後方アーム３４は、ボタン３０の後端部３０Ｂに配置されている。ペグ３３Ａが、前方アーム３３の端部に配置されている。ペグ３３Ａは、好ましくは、前方アーム３３から外側に突出している。また、前方アーム３３の端部は、凹所３３Ｂを備えている。凹所３３Ｂは、カムフォロワ２４上に設けられたペグ２４Ｂを収容するように構成されている。
【００３８】
ボタン３０は、回転させられるように構成される。ボタン３０の回転を容易にするために、ハンドル２０のヨーク２１の間に形成されたキャビティ２５には、一対の凹所２６が設けられている。凹所２６は、キャビティ２５の壁において対称的に配置されている。凹所２６は、ボタン３のアーム３３上に設けられたペグ３３Ａを収容する。ペグ３３Ａが凹所２６内に挿入されると、ボタン３０は、ペグ３３Ａによって規定された軸周りに回転することができる。
【００３９】
ボタン３０が回転後にその初期位置に復帰されることを保証するために、板バネ３６が設けられる。板バネ３６は、キャビティ２５内に配置されている。板バネ３６は、枝部３６Ｂ，３６Ａ，３６Ｂがシェービング面に向かって延在するように配置されている。外側枝部３６Ｂの長い端部は、ボタン３０に向かって上方に曲げられる。外側枝部３６Ｂは、ボタン３０の前方アーム３３の前面３３Ｃに面して配置される。ボタン３０が（図１ｄに示されるように）回転させられると、板バネ３６の長い枝部３６Ｂは、圧力を受ける。ボタン３０を回転させる力が取り除かれると、長い枝部３６Ｂはボタン３０をその初期位置に復帰させる。また、ボタン３０は、ボタン３０がその初期位置の後方へさらに動かされないことを保証する後方アーム３４を備える。
【００４０】
また、板バネ３６は、カムフォロワ２４のための復帰力を提供する。図に示される実施形態では、カムフォロワ２４は、ボタン３０の前方アーム３３の間に形成されたスペース内に挿入される。カムフォロワ２４のペグ２４Ｂは、ボタン３０の前方アーム３３の凹所３３Ｂ内に収容され、従ってカムフォロワを回転することを可能にする。そして、板バネ３６が、その中央枝部３６Ａをカムフォロワ２４の凹所２４Ｃ内に挿入するために配置される。カムフォロワ２４が回転させられると、凹所２４Ｃの壁は、板バネ３６の中央枝部３６Ａを曲げる。カムフォロワ２４を回転させる力が取り除かれると、板バネ３６の中央枝部３６Ａは、カムフォロワ２４のための復帰力を提供する。
【００４１】
ボタン３０は、指載置範囲３２をさらに備える。使用者がシェーバーヘッド４０からカートリッジ６０を係合解除したい場合、使用者はボタン３０を押す。圧力を受けて、ボタン３０は回転する。ボタン３０が（図１ｄで見ることができるように）回転させられると、プッシャ３１はカートリッジ６０のホルダ６５と接触してホルダ６５を押す。プッシャ３１がホルダ６５を押すと、溝６５Ａはバネ４５のスナップフィット部分４５Ｂから係合解除され、従ってカートリッジ６５は係合解除される。このように、使用者は、自身の指によってカートリッジ６０に触れる必要がなく、そして、刃６３により使用者の指を切るリスクは減少される。
【００４２】
上述した機構は、いくつかの利点をもたらす。ボタン３０及びカムフォロワ２４は簡素化され、必要とされる部品の数は減少される。従って、信頼性は増大し、組立プロセスは簡素化され、且つコストは減少される。ボタン３０の回転運動は容易に達成され、従ってボタン３０の動作は簡素化される。カートリッジ６０が係合解除されるときに、ヨーク２１は動かされず、このことはヨークの過負荷及び続く損傷を防止することに役立つ。ボタン３０が押されるときにカムフォロワ２４が動かず、従ってカムフォロワ２４の過負荷が減少させられ、信頼性が増大する。さらに、ボタン３０の回転運動を使用する場合、より正確な位置、すなわちカートリッジ６０が取り付けられるときの位置への解放力を付与することが可能であり、従ってボタン３０のより高い効率を可能にする。実際には、当該技術分野で公知のシェーバー、特にワンウェイ回動シェーバーでは、回動軸は、通常、おおよそカートリッジの第１の刃の位置に位置付けられる。ハンドルの位置及び回動位置は、スライドボタンが使用される場合にボタンの十分な押圧力を支持しない対立ベクトル関係を引き起こす。回転ボタン３０を使用することによって、押圧／解放力の付与は、最適な位置に近づける。従って、解放ボタン機能の効率は向上される。
【００４３】
カムフォロワ２４又はボタン３０が係合解除することを防止するために、カムフォロワ２４のペグ２４Ｂと、ボタンのペグ３３Ａと、は矩形形状で設けられる。このように、ペグ２４Ｂ及び３３Ａは凹所３３Ｂ及び３６内にそれぞれ挿入されるが、ハンドル２０のすべての機構がともに組み立てられたときに偶発的な係合解除を防止する。
【００４４】
さらに、ハンドル２０の構成要素、例えばボタン３０及びカムフォロワ２４がともに組み立てられるときに、それらは、ヨーク２１が偶発的にともに近づくように動かされることを防止する。ヨーク２１がともに近づくように動かされることができない場合、全体としてシェーバーヘッドを偶発的に解放するヨークのリスクは、減少させられ、従って使用者のけがのリスクを減少させる。
【符号の説明】
【００４５】
２０  ハンドル、２２  取付部分、３０  回転ボタン、３１  プッシャ、４０  シェーバーヘッド、４４  保護部材、４５  バネ、４６  底壁、４８  後部構造体、６０  カートリッジ、６１  頂壁、６１Ａ  シェービング補助部、６３  刃、６５  ホルダ、６５Ａ  溝
【図１ａ】
2016500315.tif 000003
【図１ｂ】
2016500315.tif 000004
【図１ｃ】
2016500315.tif 000005
【図１ｄ】
2016500315.tif 000006
【図１ｅ】
2016500315.tif 000007
【図２ａ】
2016500315.tif 000008
【図２ｂ】
2016500315.tif 000009
【図２ｃ】
2016500315.tif 000010
【図２ｄ】
2016500315.tif 000011
【図３ａ】
2016500315.tif 000012
【図３ｂ】
2016500315.tif 000013
【図４】
2016500315.tif 000014
【図５ａ】
2016500315.tif 000015
【図５ｂ】
2016500315.tif 000016
【国際調査報告】
2016500315.tif 000017
2016500315.tif 000018